(57)【要約】【課題】据付工事の配管作業時に空気調和機の前面側を、緩衝材の上に載せて行う際、同一円弧の切欠に載置することで、空気調和機の揺れ、動きを止め、安定した状態で配管作業を容易に行うことができ、作業性が向上する空気調和機の包装装置を提供する。【解決手段】本空気調和機の包装装置は、長手方向と直交する断面において突面形状に形成された前面を有する空気調和機の包装装置であり、この包装装置は、一側に空気調和機の側方を収容保持する凹部を設けた一対の緩衝部材と、これら緩衝部材と共に空気調和機を収容する筒状の外装ダンボールとを備え、緩衝部材の一面に、空気調和機の前面の突面形状と同一形状の切欠を設ける。【選択図】  図１
2010076796.tif 000002
【特許請求の範囲】
【請求項１】
長手方向と直交する断面において突面形状に形成された前面を有する空気調和機の包装装置において、
この包装装置は、一側に空気調和機の側方を収容保持する凹部を設けた一対の緩衝部材と、
これら緩衝部材と共に前記空気調和機を収容する筒状の外装ダンボールとを備え、
前記緩衝部材の一面に、前記空気調和機の前面の突面形状と略同一形状の切欠を設けることを特徴とする空気調和機の包装装置。
【請求項２】
前記切欠は、前記凹部が形成された一側と同一の面に形成されることを特徴とする請求項１記載の空気調和機の包装装置。
【請求項３】
前記緩衝材の外面に複数の凹部を設け、これらの凹部間の距離は片手の指でつまめる距離であることを特徴とする請求項１または２記載の空気調和機の包装装置。
【発明の詳細な説明】
【技術分野】
【０００１】
本発明は空気調和機の包装装置に係り、特に緩衝部材の形状を改良した空気調和機の包装装置に関する。
【背景技術】
【０００２】
一般に、空気調和機の室内機は、包装装置により包装されて、倉入れされ、出荷される。
【０００３】
図６に示し、特許文献１に記載されているように、従来の空気調和機の室内機の包装装置１は、空気調和機（室内機本体）２の側方に配置される一対の発泡スチロール等からなる緩衝材３、３と、これら緩衝材３、３間に渡って配置され、空気調和機２及び一対の緩衝材３、３を被う筒状の外装段ボール４からなり、緩衝材３、３の空気調和機２側となる一側には、空気調和機２の左右の両側方２ｂ、２ｂを収納保持する凹部３ａが設けられている。
【０００４】
そして、梱包後は、周囲にバンドを掛けて縛るようになっている。
【０００５】
このように梱包された空気調和機は、据付け現場に搬送され、開梱される。
【０００６】
据付け現場において、空気調和機２の配管作業等のために、空気調和機２の曲面状の前面２ａを、離間して並べた緩衝材３、３に載せて作業を行う。
【０００７】
しかしながら、従来の緩衝材３、３には、空気調和機２を支持する載置面に、成型後に積み重ね保管するため残留している水分を蒸発させる程度の切欠を別目的で設けるが、この切欠は小さく、また、前面２ａの曲面形状とは異なる形状であるため、前面２ａを載せて配管作業を行うと前面２ａが円弧のため滑り易く、前面２ａにスリ傷を発生させていた。
【０００８】
また、円弧頂点を中心に前後への揺れが大きく発生するため配管作業等の作業性が非常に悪かった。
【特許文献１】特開２００３−２６２４５号公報
【発明の開示】
【発明が解決しようとする課題】
【０００９】
本発明は上述した事情を考慮してなされたもので、据付工事の配管作業時に空気調和機の前面側を、緩衝材の上に載せて行う際、同一円弧の切欠に載置することで、空気調和機の揺れ、動きを止め、安定した状態で配管作業を容易に行うことができ、作業性が向上する空気調和機の包装装置を提供することを目的とする。
【課題を解決するための手段】
【００１０】
上述した目的を達成するため、本発明に係る空気調和機の包装装置は、長手方向と直交する断面において突面形状に形成された前面を有する空気調和機の包装装置において、この包装装置は、一側に空気調和機の側方を収容保持する凹部を設けた一対の緩衝部材と、これら緩衝部材と共に前記空気調和機を収容する筒状の外装ダンボールとを備え、前記緩衝部材の一面に、前記空気調和機の前面の突面形状と略同一形状の切欠を設けることを特徴とする。
【発明の効果】
【００１１】
本発明に係る空気調和機の包装装置によれば、据付工事の配管作業時に空気調和機の前面側を、緩衝材の上に載せて行う際、同一円弧の切欠に載置することで、空気調和機の揺れ、動きを止め、安定した状態で配管作業を容易に行うことができ、作業性が向上する空気調和機の包装装置を提供することができる。
【発明を実施するための最良の形態】
【００１２】
本発明の一実施形態に係る空気調和機の包装装置について図面を参照して説明する。
【００１３】
図１は本発明の一実施形態に係る空気調和機の包装装置を分解して示す斜視図である。
【００１４】
図１に示すように、本発明の一実施形態に係る空気調和機の包装装置１は、空気調和機（室内機）２を梱包するのに用いられ、この空気調和機２はその長手方向と直交する断面において、突面形状に形成された前面２ａを有し、この前面２ａは開閉自在な前面板をなす。
【００１５】
包装装置１は、一側に空気調和機２の左右の両側方２ｂ、２ｂを収容保持する凹部３ａを設けた同一形状の一対の緩衝部材３、３と、これら緩衝部材３、３と共に空気調和機２を収容する直方体で筒状の外装ダンボール４とを備える。
【００１６】
図２に示すように、緩衝部材３は扁平で平面視長方形状をなし、その一側に上記凹部３ａが設けられるように、底面３ｂから互いに対向する長側面３ｃ、３ｃと、短側面３ｄ、３ｄが設けられる。
【００１７】
さらに、長側面３ｃ、３ｃには、空気調和機２の前面２ａの突面形状と同一形状の切欠３ｅ、３ｅが設けられ、前面２ａは切欠３ｅ、３ｅにスムーズに嵌り込む。切欠３ｅの形状（断面形状）は、前面２ａの突面形状が円弧状の湾曲形状の場合には、同一の湾曲形状に、略山形形状の場合には、同一の略山形形状にする。
【００１８】
図３に示すように、緩衝部材３の他側には、上部に把手用凹部３ｆが設けられ、さらに、各辺の中央部近傍には、複数個例えば４個の指挿入孔３ｇ、３ｇ、３ｇ、３ｇが、互いに片手の指が届く範囲内（片手の指で前記指挿入孔３ｇ、３ｇ、３ｇ、３ｇのうちの２個の指挿入孔を摘まめる距離、例えば１５ｃｍ以内）に設けられる。指挿入孔は少なくとも２個あればよく、また、１個は前記把手用凹部３ｆで兼用しても良い。指挿入孔３ｇ、３ｇ、３ｇ、３ｇは、開梱時、緩衝部材３、３を外装ダンボール４から取外すのに用い、指挿入孔３ｇ、３ｇ、３ｇ、３ｇに片手の指（２〜４本）を入れて（かけて）、緩衝部材３、３を外側に引張って外す。
【００１９】
緩衝部材３はとうもろこし等の植物でんぷんから得られる乳酸を原料にしたポリ乳酸発泡ビーズを型成形したものを用いるのが好ましい。これにより、使用後破棄された場合、土中または水中の微生物により炭酸ガスと水に分解させ、自然環境を汚染することがない。
【００２０】
次に空気調和機の包装装置により梱包された空気調和機の据付工事について説明する。
【００２１】
図１に示すように、開梱時、作業者は、両方の把手用凹部３ｆに両手を掛け、据付現場に包装装置１で梱包された空気調和機２を運ぶ。
【００２２】
空気調和機２は、その両側方２ｂが緩衝部材３、３の凹部３ａ、３ａに保持収容され、この状態で外装ダンボール４に収容させて、包装されている。
【００２３】
次に、一方（例えば、図中右側）の緩衝部材３に設けた指挿入孔３ｇ、３ｇ、３ｇ、３ｇに指を入れ、この緩衝部材３を外し、図４に示すように、凹部３ａを設けた一側が上を向くように、緩衝部材３を床面に置く。
【００２４】
さらに、他方（例えば、図中左側）の緩衝部材３に設けた指挿入孔３ｇ、３ｇ、３ｇ、３ｇに指を入れ、この緩衝部材３を外し、図４に示すように、他方の緩衝部材３を、先に置かれた一方の緩衝部材３と同様に位置関係で、一方の緩衝部材３の長手方向に直線上に離間して置く。
【００２５】
従って、一方の緩衝部材３の切欠３ｅと他方の緩衝部材３の切欠３ｅは、上を向いて平行かつ一直線上に並ぶ。
【００２６】
上記のように、緩衝部材３に指挿入孔３ｇ、３ｇ、３ｇ、３ｇを設けることで、開梱時に、緩衝材３を指でつまんで取り出しやすくなり、開梱作業性が向上する。
【００２７】
しかる後、図５に示すように、外装ダンボール４（図１）から取出した空気調和機２を、前面２ａを下にして、両緩衝部材３、３間に載置する。
【００２８】
両緩衝部材３、３間に載置された空気調和機２は、前面２ａが緩衝部材３、３に設けた切欠３ｅに嵌り込む。空気調和機２の裏面が上向きに露出する。
【００２９】
作業者は裏面側から空気調和機２への配管工事を行う。
【００３０】
この配管工事中、空気調和機２は、前面２ａが緩衝部材３、３に設けた切欠３ｅに嵌り込んでいるため、空気調和機２の揺れ、動きを止め、安定した状態で配管作業を容易に行うことができ、作業性が向上する。
【００３１】
本実施形態の空気調和機の包装装置によれば、据付工事の配管作業時に空気調和機の前面側を、緩衝材の上に載せて行う際、同一円弧の切欠に載置することで、空気調和機の揺れ、動きを止め、安定した状態で配管作業を容易に行うことができ、作業性が向上する空気調和機の包装装置が実現される。
【図面の簡単な説明】
【００３２】
【図１】本発明の一実施形態に係る空気調和機の包装装置を分解して示す斜視図。
【図２】本発明の一実施形態に係る空気調和機の包装装置に用いる緩衝部材の一側を示す斜視図。
【図３】本発明の一実施形態に係る空気調和機の包装装置に用いる緩衝部材の他側を示す斜視図。
【図４】本発明の一実施形態に係る包装装置で梱包された空気調和機の開梱過程の説明図。
【図５】本発明の一実施形態に係る包装装置で梱包された空気調和機の据付工事過程の説明図。
【図６】従来の空気調和機の包装装置を分解して示す斜視図。
【符号の説明】
【００３３】
１…包装装置、２…空気調和機、２ａ…前面、２ｂ…側方、３、３…緩衝部材、３ａ…凹部、３ｂ…底面、３ｃ、３ｃ…長側面、３ｄ、３ｄ…短側面、３ｅ、３ｅ…切欠、３ｆ…把手用凹部、３ｇ、３ｇ、３ｇ、３ｇ…指挿入孔、４…外装ダンボール。
【図１】
2010076796.tif 000003
【図２】
2010076796.tif 000004
【図３】
2010076796.tif 000005
【図４】
2010076796.tif 000006
【図５】
2010076796.tif 000007
【図６】
2010076796.tif 000008